(57)【要約】【課題】  店舗に関する情報を第三者が簡便かつ容易に利用できること。【解決手段】  コンピュータ１２からインターネット１を介して店舗を検索するときに、検索情報として、「チェッ呉」を入力すると、呉市を中心に存在する各種店舗のサイトがコンピュータ１２の画面上に表示され、この画面上のサイトのうちいずれかのサイトを選択することで、コンピュータ１２の画面上には、選択された店舗に関する情報が表示され、店舗に関する情報を第三者が簡便かつ容易に利用することができる。【選択図】        図１ 
2005115454.tif 000002
【特許請求の範囲】
【請求項１】
インターネットを介して店舗や会社を紹介するシステムであって、前記インターネットを通信媒体とする通信端末と前記インターネットを介して情報の授受を行うサーバと、指定の地域に存在する店舗や会社のホームページに関する情報を格納するデータベースとを備え、前記サーバは、前記店舗や会社が存在する地域を含む情報を指定したアクセスが前記通信端末から入力されたときに前記データベースを検索して前記店舗や会社に関するホームページを閲覧可能に維持してなることを特徴とする店舗紹介システム。
【請求項２】
請求項１に記載の店舗紹介システムにおいて、前記店舗や会社のホームページに関する情報は、予め定められた書式を基に生成されてなることを特徴とする店舗紹介システム。
【請求項３】
請求項１または２に記載の店舗紹介システムにおいて、前記店舗や会社のホームページに関する情報は、前記店舗や会社の所在地、前記店舗や会社の周囲の地図、前記店舗や会社の電話番号、前記店舗や会社の外観と内部の写真、前記店舗におけるメニューとその価格を含んで構成されてなることを特徴とする店舗紹介システム。
【請求項４】
請求項３に記載の店舗紹介システムにおいて、前記サーバは、前記店舗や会社のホームページ上の電話番号がアクセスされたときには、前記電話番号に対応した電話機を前記通信端末の通信先として電話回線を選択してなることを特徴とする店舗紹介システム。
【請求項５】
請求項３に記載の店舗紹介システムにおいて、前記店舗や会社のホームページに関する情報は、前記店舗や会社固有のホームページを呼び出すためのリンク情報を含むことを特徴とする店舗紹介システム。
【請求項６】
請求項１、２、３、４または５のうちいずれか１項に記載の店舗紹介システムにおいて、前記サーバは、前記通信端末から指定のユーザＩＤとパスワードに関する情報が入力されたことを条件に前記指定のユーザＩＤとパスワードに対応したホームページに対して、前記通信端末からのアクセスによる改訂、追加を許可してなることを特徴とする店舗紹介システム。
【発明の詳細な説明】
【技術分野】
【０００１】
本発明は、店舗紹介システムに係り、特に、インターネットに接続された通信端末からのアクセスに応答してホームページ上で店舗を紹介するに好適な店舗紹介システムに関する。
【背景技術】
【０００２】
店舗情報を提供するシステムとして、ホームページ上で紹介や広告を行うようにしたものが知られている（特許文献１、２参照）。ところが、ホームページを第三者に閲覧してもらうには、ホームページのアドレスを連絡するか、第三者が検索してその店舗のホームページを探さなければならない。
【０００３】
不特定多数の第三者にホームページのアドレスを連絡することは、可能ではあるが経費の面で問題がある。また、検索にしても、検索語の選択により、なかなか知りたい店舗をヒットできない場合が多い。
【０００４】
さらにホームページ作成はおろか、コンピュータ装置自体を所有しない、また使用の経験がない店舗も多々あり、そのような店舗にとって広くかつ簡便にＰＲする方法がなかった。
【０００５】
【特許文献１】特開２００２−３５１８８６号公報（第３頁から第５頁、図１、図２）
【特許文献２】特開２００２−１６３３９９号公報（第２頁から第４頁、図１、図２）
【発明の開示】
【発明が解決しようとする課題】
【０００６】
従来技術では、第三者が店舗のホームページを探すのに時間を要し、第三者が各種店舗の情報を簡便かつ容易に利用するには十分ではなかった。
【０００７】
本発明の課題は、店舗に関する情報を第三者が簡便かつ容易に利用できることにある。
【課題を解決するための手段】
【０００８】
前記課題を解決するために、本発明は、インターネットを介して店舗や会社を紹介するシステムであって、前記インターネットを通信媒体とする通信端末と前記インターネットを介して情報の授受を行うサーバと、指定の地域に存在する店舗や会社のホームページに関する情報を格納するデータベースとを備え、前記サーバは、前記店舗や会社が存在する地域を含む情報を指定したアクセスが前記通信端末から入力されたときに前記データベースを検索して前記店舗や会社に関するホームページを閲覧可能に維持してなることを特徴とする店舗紹介システムを構成したものである。
【０００９】
前記店舗紹介システムを構成するに際しては、以下の要素を付加することができる。
【００１０】
（１）前記店舗や会社のホームページに関する情報は、予め定められた書式を基に生成されてなる。
【００１１】
（２）前記店舗や会社のホームページに関する情報は、前記店舗や会社の所在地、前記店舗や会社の周囲の地図、前記店舗や会社の電話番号、前記店舗や会社の外観と内部の写真、前記店舗におけるメニューとその価格を含んで構成されてなる。
【００１２】
（３）前記サーバは、前記店舗や会社のホームページ上の電話番号がアクセスされたときには、前記電話番号に対応した電話機を前記通信端末の通信先として電話回線を選択してなる。
【００１３】
（４）前記店舗や会社のホームページに関する情報は、前記店舗や会社固有のホームページを呼び出すためのリンク情報を含んでなる。
【００１４】
（５）前記サーバは、前記通信端末から指定のユーザＩＤとパスワードに関する情報が入力されたことを条件に前記指定のユーザＩＤとパスワードに対応したホームページに対して、前記通信端末からのアクセスによる改訂、追加を許可してなる。
【発明の効果】
【００１５】
本発明によれば、第三者に利用されるので、各種店舗や会社の情報を簡便かつ容易に利用者に提供できる。また、コンピュータ装置を持たない、また使用経験がない、さらにホームページを作成する入力作業に不慣れな店舗にとっても、容易にホームページを所有できるので、会員である店舗や会社の負担を軽くしつつ、第三者にインターネットを介して、コンピュータまたは携帯電話にて店舗情報を提供することが可能となり、その効果は非常に大なるものがある。
【発明を実施するための最良の形態】
【００１６】
以下、本発明の一実施形態を図面に基づいて説明する。図１は、本発明に係る店舗紹介システムの一実施携帯を示す構成図である。図１において、インターネット１を介して店舗や会社を紹介する店舗紹介システムは、事務局サーバ１１を備えており、この事務局サーバ１１は、インターネット１を通信媒体する通信端末と情報の授受を行うようになっている。すなわち、事務局サーバ１１は、インターネット１に接続されており、このインターネット１には、通信端末として、本システムを閲覧する第三者（利用者）のコンピュータ１２や携帯電話１３が接続されている。また、会員である店舗や会社が所有するコンピュータ１４も通信端末としてインターネット１に接続されている。
【００１７】
ここでいう事務局とは、会員を募り、会員登録や会員のホームページを作成し、店舗紹介システムを管理・運営する母体をいう。
【００１８】
事務局サーバ１１には、店舗や会社の情報をホームページとして記憶しておくデータベース１０１が接続されており、このデータベース１０１は、事務局サーバ１１を介して、会員である店舗や会社が既に開設しているホームページ１０２やホームページ１０３にも接続されている。
【００１９】
店舗や会社のホームページを作成するに際しては、図２に示すように、事務局で用意した書式に、店舗や会社に関する情報を会員に記入してもらうか、事務局にて聞き取りながら記入し、それを基にホームページを作成する。この情報には、店舗名（もしくは会社名）、店舗の所在地、店舗の周囲の地図、店舗の電話番号、店舗の外観や内部の写真、メニューとその価格、店舗の特徴、店主からの一言のキャッチフレーズ（例えば、「スタッフ一同、皆様のお越しを心よりお待ちいたしております。」）などから成る。
【００２０】
次に、この店舗紹介システムの携帯電話による利用例を、図面をもって説明する。図３は、事務局にあるサーバ１１のＵＲＬを、携帯電話１３で指定してアクセスした場合に、携帯電話の画面に現れるメインメニューである。例えば、指定の店舗が広島県の呉市を中心とした地域に存在しているときには、携帯電話１３で、「生活情報」をアクセスした後、地域として「中国」地方をクリックすると、サイトに関する情報として、「呉」などの地域名に関連するサイト、例えば、「チェッ呉」などが画面上に表示され、これらのサイトから、例えば、「チェッ呉」をクリックすると、図３に示すような画面が表示される。
【００２１】
ここで、利用者は、この画面で「ジャンルで探す」を選択するか、あるいは「５０音で探す」を選択する。
【００２２】
「ジャンルで探す」を選択すると、図４に示すような画面が現れ、「お店」または「会社」を選択することになる。
【００２３】
ここで、「お店」を選択すると、図５に示すお店のジャンルの画面が現れ、探したい店舗のジャンルを選択する。
【００２４】
飲食店を探したい場合には、「食べる・飲む」を選択すると、図６に示すような画面が現われ、飲食店の種類を選ぶことになる。図７は、図６で「居酒屋」を選択した場合の画面で、本店舗紹介システムに会員登録した居酒屋の全店舗について、店舗名とその店舗の簡単な特徴が示される。
【００２５】
利用者は、この一覧から店舗を選択すると、図８に示すような画面が現われる。これをスクロールすると、図９、図１０に示すような画面が現われる。また、図１１に示すように、店内の写真による画像や、図１２に示すように、その店舗で提供される料理の写真による画像を見ることができる。
【００２６】
また、携帯電話１３から検索する場合、図８に示すように、店舗の電話番号が記載されており、この番号をクリックすれば、自動的にその店舗に電話がかかるようになっており、問い合わせや予約をすることができる。すなわち、店舗の電話番号がクリックされたときには、サーバ１１は、電話番号に対応した電話機を携帯電話１３の通信先として、電話回線を選択するための処理を実行する。
【００２７】
以上は店舗の場合を示したが、会社の場合も同様に、利用者に情報を提供できる。
【００２８】
これら一連の店舗もしくは会社の情報は、図２に示したように、事務局があらかじめ用意した書式で店舗ないしは会社から提供された情報に基づいて、事務局にて作成した各店舗のホームページから得られるものである。
【００２９】
会員である店舗もしくは会社には、固有のユーザＩＤとパスワードが与えられており、各店舗や会社は、それらを用いて事務局のサーバ１１にアクセスして、自分のホームページの内容を修正・追加することができる。すなわち、サーバ１１は、コンピュータ１２、１４から指定のユーザＩＤとパスワードに関する情報が入力されたことを条件に、指定のユーザＩＤとパスワードに対応したホームページに対して、コンピュータ１２、１４からのアクセスによる改訂、追加を許可するようになっている。
【００３０】
また、本システムに入会する前に、すでにホームページを所有している場合、図１０に示すように、それらの店舗ないしは会社のホームページのＵＲＬをクリックすることで、図１に示したように、各店舗や会社の既所有のホームページ１０２、１０３を閲覧することができる。すなわち、データベース１０１に格納されたホームページに関する情報は、店舗固有のホームページ１０２、１０３を呼び出すためのリンク情報（ＵＲＬ）を含んで構成されている。
【００３１】
これは、各店舗や会社にとって、より詳しい情報を利用者に提供できることになり、各店舗や会社の特色ある情報を提供することができ、ＰＲ効果をより大きくすることになる。
【００３２】
また、コンピュータ１２、１４から店舗に関するホームページをアクセスする場合、例えば、指定の店舗が広島県の呉市を中心とした地域に存在しているときに、これらの店舗にコンピュータ１２、１４からアクセスするときには、検索の項目に、例えば、「呉」、「お店」を入力したり、あるいは「チェッ呉」を入力したりすると、呉市を中心とした地域に存在する店舗に関するサイトして、図５に示す画面が表示される。
【図面の簡単な説明】
【００３３】
【図１】本発明の一実施形態を示す店舗紹介システムの構成図である。
【図２】店舗情報を記入するための書式の構成図である。
【図３】携帯電話による店舗紹介のメインメニューの画面の表示例を示す図である。
【図４】メインメニューのお店検索でジャンルが選択されたときの画面の表示例を示す図である。
【図５】ジャンル検索でお店が選択されたときの画面の表示例を示す図である。
【図６】お店検索で食べる・飲むが選択されたときの画面の表示例を示す図である。
【図７】お店検索で居酒屋が選択されたときの画面の表示例を示す図である。
【図８】居酒屋の案内に関する画面の表示例を示す図である。
【図９】居酒屋の料理に関する画面の表示例を示す図である。
【図１０】居酒屋の案内などに関する画面の表示例を示す図である。
【図１１】店内の画面の表示例を示す図である。
【図１２】料理の画面の表示例を示す図である。
【符号の説明】
【００３４】
１  インターネット
１１  事務局サーバ
１２、１４  コンピュータ
１３  携帯電話
１０１  データベース
１０２  店舗所有のホームページ
１０３  会社所有のホームページ
【図１】
2005115454.tif 000003
【図２】
2005115454.tif 000004
【図３】
2005115454.tif 000005
【図４】
2005115454.tif 000006
【図５】
2005115454.tif 000007
【図６】
2005115454.tif 000008
【図７】
2005115454.tif 000009
【図８】
2005115454.tif 000010
【図９】
2005115454.tif 000011
【図１０】
2005115454.tif 000012
【図１１】
2005115454.tif 000013
【図１２】
2005115454.tif 000014